(57)【要約】【課題】壁下地などの出隅部や入隅部に所望の曲面を画一的に得られ、安全で美麗な外観に仕上げられるようにする。【解決手段】隅角部に固定される長尺のコーナーテープ１１において、隅角に固定される直線状の隅角相当部１２と、隅角の両側に固定され複数の貫通穴３１を有する板状の平板部１３を幅方向に配設する。これら左右一対の平板部１３は隅角相当部１２に対して、隅角相当部１２および平板部１３よりも柔軟で変形容易な材料からなるヒンジ部１４で一体形成して、平板部１３同士が同一平面上に並んだ平らな形状とする。隅角相当部１２における固定時に表面側に現れる面に、平板部１３における固定時に表面側に現れる面よりも突出して幅方向に湾曲する角アール面２１を形成する。【選択図】図１
2015124590.tif 000002
【特許請求の範囲】
【請求項１】
隅角部に固定される長尺のコーナーテープであって、
隅角に固定される直線状の隅角相当部と、隅角の両側に固定され複数の貫通穴を有する板状の平板部が幅方向に配設されるとともに、
これら左右一対の前記平板部が前記隅角相当部に対して、前記隅角相当部および前記平板部よりも柔軟で変形容易な材料からなるヒンジ部で一体形成され、前記平板部同士が同一平面上に並んだ平らな形状であり、
前記隅角相当部における固定時に表面側に現れる面に、前記平板部における固定時に表面側に現れる面よりも突出して又は凹んで幅方向に湾曲する隅角アール面が形成された
コーナーテープ。
【請求項２】
前記隅角相当部の表裏両面に隅角アール面を有する
請求項１に記載のコーナーテープ。
【請求項３】
前記隅角相当部の断面形状が４分の１円弧形である
請求項１または請求項２に記載のコーナーテープ。
【請求項４】
前記ヒンジ部の幅が０．５ｍｍ以上１．５ｍｍ以下である
請求項１から請求項３のうちいずれか一項に記載のコーナーテープ。
【請求項５】
前記平板部における固定時に裏面側となる面に、前記貫通穴を有する部分の少なくとも一部と重複する粘着剤層が備えられ、
該粘着剤層が前記貫通穴の縁まで形成されている
請求項１から請求項４のうちいずれか一項に記載のコーナーテープ。
【請求項６】
前記隅角相当部における突出する側の面を外周側にしてロール状に巻回された
請求項１から請求項５のうちいずれか一項に記載のコーナーテープ。
【発明の詳細な説明】
【技術分野】
【０００１】
この発明は、建物の内装下地に用いられる部材に関し、より詳しくは、たとえば壁のコーナー部、つまり出隅部や入隅部の仕上げに用いられるコーナーテープに関する。
【背景技術】
【０００２】
コーナー部は、安全や美観の面から、尖っているよりも丸みを持った形状であるのが好ましい。このため、下記特許文献１のようなコーナーテープを案出した。
【０００３】
このコーナーテープは、幅方向の中央部で長手方向に延びる蝶番部と、これらの左右両側で長手方向に延びるプレートを一体形成した構成であり、前記蝶番部が３本の硬質筋と４本の軟質筋を交互に配設して形成されている。つまり、左右両側のプレートがコーナー部を形成する直角をなす２つの平面に沿うように蝶番部を変形させると、蝶番部は４本の軟質筋で変形し、比較的緩やかな曲面となる。このため、丸みをもったコーナー部を得られる。
【先行技術文献】
【特許文献】
【０００４】
【特許文献１】特開２００８−５７２４８号公報
【発明の概要】
【発明が解決しようとする課題】
【０００５】
しかしながら、曲面は４本の軟質筋の変形で形成されるので、軟質筋における変形にばらつきが生じたり、プレートの固定位置がずれたりした場合には、所望の曲面を出せない。また、作業員の違いによって曲面の態様に違いが生じることもあった。
【０００６】
そこで、この発明は、所望の曲面を画一的に得られ、美麗な外観に仕上げられるようにすることを主な目的とする。
【課題を解決するための手段】
【０００７】
そのための手段は、隅角部に固定される長尺のコーナーテープであって、隅角に固定される直線状の隅角相当部と、隅角の両側に固定され複数の貫通穴を有する板状の平板部が幅方向に配設されるとともに、これら左右一対の前記平板部が前記隅角相当部に対して、前記隅角相当部および前記平板部よりも柔軟で変形容易な材料からなるヒンジ部で一体形成され、前記平板部同士が同一平面上に並んだ平らな形状であり、前記隅角相当部における固定時に表面側に現れる面に、前記平板部における固定時に表面側に現れる面よりも突出して又は凹んで幅方向に湾曲する隅角アール面が形成されたコーナーテープである。
【０００８】
この構成では、コーナー部への固定に先だって平板部同士がコーナー部の形状になじむようにヒンジ部で曲げると、ヒンジ部がコーナー部に対応するアングル形状から平らな形状に戻るのを抑制する働きをする。そしてヒンジ部間の隅角相当部は、隅角アール面によって一律の隅角アールをつくる。
【発明の効果】
【０００９】
この発明によれば、コーナー部の隅角に所望の隅角アールを画一的に付与でき、美麗な仕上げ状態を得られる。
【図面の簡単な説明】
【００１０】
【図１】コーナーテープの断面図。
【図２】巻回状態のコーナーテープの斜視図。
【図３】コーナーテープの平面図と底面図。
【図４】コーナーテープの変形過程を示す説明図。
【図５】コーナーテープの使用状態の断面図。
【図６】コーナーテープの固定状態の一部拡大断面図。
【図７】他の例に係るコーナーテープの断面図
【発明を実施するための形態】
【００１１】
この発明を実施するための一形態を、以下図面を用いて説明する。  
図１は、壁下地などの隅角部（コーナー部）に固定されるコーナーテープ１１の断面図である。コーナーテープ１１は長尺で、図２に示したようにロール状に巻回されており、必要長さのコーナーテープ１１を切断して使用する。
【００１２】
コーナーテープ１１は合成樹脂製で、全体として一定幅の帯形状である。コーナーテープ１１は、壁下地などの隅角に固定される直線状の隅角相当部１２と、隅角の両側に固定される板状の平板部１３を幅方向に配設して構成されている。つまり、幅方向の中間に隅角相当部１２を有し、その両側に平板部１３を有する。
【００１３】
左右一対の平板部１３は、隅角相当部１２に対して隅角相当部１２や平板部１３よりも柔軟で変形容易な合成樹脂材料からなるヒンジ部１４で一体形成されている。２枚の平板部１３は、同一平面上に並んでおり、コーナーテープ全体として平らな形状である。隅角相当部１２と平板部１３は、たとえばＨＩＰＳ（高衝撃性ポリスチレン）などで形成でき、ヒンジ部１４はＳＢＳ（スチレンブタジエンスチレンブロック共重合体）などで形成できる。各部は押し出し成型で一体に形成される。
【００１４】
平板部１３はパテが入り込む貫通穴３１を、それぞれ複数個そなえた穴あき板である。平板部１３の一方の面は、固定時に裏面側となる面、つまり固定面３２であり、この固定面３２に粘着剤層３３と離型シート３４を有する。図１のコーナーテープ１１では下側の面が固定面３２である。
【００１５】
図３（図３（ａ）は平面図、図３（ｂ）は底面図）に示したように、平板部１３に形成される貫通穴３１は円形で、すべて同じ大きさであり、平板部１３の全体にわたって均等に、長手方向に４列形成されている。粘着剤層３３は、左右方向の端より若干後退した位置から４列の貫通穴３１のうち３列目の貫通穴３１までの範囲にわたって形成されている。つまり、固定面３２のうち前記貫通穴３１を有する部分の少なくとも一部と重複する部分に、粘着剤層３３が備えられており、粘着剤層３３と離型シート３４も貫通穴３３ａ，３４ａを有する。
【００１６】
粘着剤層３３における貫通穴３３ａ近傍の部分は、平板部１３の貫通穴３１の縁まで形成される。貫通穴３１，３３ａ，３４ａは、粘着剤層３３と離型シート３４を平板部１３に備えてから形成すると、平板部１３の貫通穴３１と粘着剤層３３の貫通穴３３ａが同一形状になる。
【００１７】
平板部１３の厚さは０．８ｍｍ〜１ｍｍに設定され、端部側の部分は端部ほど薄くなるように形成されている。図示例では、固定面３２と反対の表面に傾斜面３５を形成して薄くした例を示す。図示は省略するが、表裏両面に傾斜面を形成して薄くしてもよい。また端部側の部分を薄く形成しなくてもよい。
【００１８】
隅角相当部１２における固定時に表面側に現れる面には、平板部における固定時に表面側に現れる面、つまり表面よりも突出して幅方向に湾曲する隅角アール面としての角アール面２１を有する。角アール面２１の円弧の大きさは適宜設定できるが、たとえば直径４ｍｍの円弧面とするのが、安全と美観とクロス貼り付け状態などの観点で好ましい。
【００１９】
この角アール面２１の裏側には、隅アール面２２が形成されている。つまり隅角相当部１２の断面形状は円弧状である。この円弧は４分の１円弧で、幅方向において等肉である。隅角相当部１２の厚さは板状部１３と同じでよい。
【００２０】
前記ヒンジ部１４は、隅角相当部１２の両端から下に突出する円弧を描くように形成され、この厚さは、隅角相当部１２や板状部１３の厚さと同一、またはそれよりも若干薄くしてもよい。
【００２１】
ヒンジ部１４の幅は、平たい形状のコーナーテープ１１をヒンジ部１４において図４に示したように離型シート３４同士が接触する方向に折り曲げて、しごくようにしてから手を離したときに、アングル状に形状を保ちやすいように適宜設定される。具体的にはたとえば、０．５ｍｍ以上１．５ｍｍ以下であるとよい。隅角相当部１２と板状部１３の厚さが０．８ｍｍ〜１ｍｍで、板状部の幅が２５ｍｍ、角アール面２１が直径４ｍｍの円弧、貫通穴３１の直径が４ｍｍの場合には、ヒンジ部１４の幅は約１ｍｍとするのが好ましい。
【００２２】
このような構成のコーナーテープ１１は、隅角相当部１２における突出する側の面、つまり表面を外周側にしてロール状に巻回される。隅角相当部１２の断面形状が４分の１円弧形であるので、高さが低く、巻回しても隅角相当部１２の損傷を防げる。巻回してあるので、長尺ものを長いまま運搬等する場合と比較して、取扱いが容易である。
【００２３】
このように構成されたコーナーテープ１１は、固定する箇所に応じた所定長さを引き出して、鋏等で切断したのち、前述のようにして平たい形状からアングル状に変形させて使用する。変形に際しては２本のヒンジ部１４が均等に曲がるようにして留意する。コーナー部（出隅部）７１に対する固定に際しては、離型シート３４を剥がして、粘着剤層３３で図５に示したように下地材７２に施した下塗りパテの上に貼り付ける。図５においては、便宜上、下塗りパテの図示を省略した。
【００２４】
平板部１３における粘着剤層３３を有する部分は多数の貫通穴３１を有するので、貫通穴３１が粘着剤層３３の粘着力を弱める作用をする。このため貼り直しが容易であり、正しく美麗な固定状態が得られる。一方でコーナーテープ１１はアングル形状に変形させると平らな形状に戻りにくくなるので、下塗りパテからの不測の剥がれや、平板部１３の浮き上がりを防止でき、良好な固定状態が得られる。
【００２５】
コーナーテープ１１の固定後は、コーナーテープ１１の上からパテの中塗りを行う。パテは、平板部１３の貫通穴３１を通って、下地材７２のヘベル面７２ａ部分などの空間入り込み、下地材７２に密着する。
【００２６】
このとき、粘着剤層３３が平板部１３の貫通穴３１の縁まで形成されている、つまり平板部１３の貫通穴３１と粘着剤層３３の貫通穴３３ａが同一大であるので、図６（ａ）に示したように、中塗りしたパテ７３の上面と平板部１３の表面が面一になる。このため、美麗な外観が得られる。
【００２７】
図６（ｂ）に示したように、粘着剤層３３の貫通穴３３ａが平板部１３の貫通穴３１よりも大きい場合、つまり粘着剤層３３が平板部１３の貫通穴３１の縁よりも後退している場合には、その部分にパテ７３が入り込むので、平板部１３の貫通穴３１部分に凹みができてしまう。粘着剤層３３を平板部１３の貫通穴３１の縁まで形成することによって、このような不都合を回避できる。
【００２８】
コーナーテープ１１は、一定の角アール面２１を有する隅角相当部１２を有するので、固定後のコーナー部７１には、所望の隅角アールを一律に得られる。隅角アールを画一的に付与できるので、仕上がり状態は美麗である。しかも、コーナーテープの変形は、隅角相当部の両側の２本のヒンジ部で行うので、３本以上のヒンジ部を有する場合に比して所望の形状を得やすく、作業性がよい。
【００２９】
以下、その他の構成について説明する。この説明において、前述の構成と同一または同等の構成については、同一の符号を付してその詳しい説明を省略する。
【００３０】
図７（ａ）はコーナーテープの断面図であり、隅角相当部１２の角アール面２１の裏側を平らに形成した例を示している。つまり、隅角相当部１２は断面略かまぼこ型である。このため、前述のように所望の角アール面２１を有するうえに、この角アール面２１の剛性は高い。
【００３１】
図７（ｂ）は、入隅のコーナー部に固定するのに適したコーナーテープの断面図である。すなわち、隅角相当部における固定時に表面側に現れる面に、平板部における固定時に表面側に現れる面よりも凹んで幅方向に湾曲する隅角アール面としての隅アール面２３を有している。隅アール面２３の裏側には、角アール面２４が形成されている。
【００３２】
図７（ｂ）のように隅角アール面としての隅アール面２３の裏面に角アール面２４を有する場合や、図１に示したように隅角アール面としての角アール面２１の裏面に隅アール面２２を有する場合には、図７（ｂ）の場合には角アール面２４を、図１の場合には隅アール面２２を、隅角アール面とすることもできる。つまり、隅角相当部の表裏両面に隅角アール面を形成してもよい。この場合には、出隅部と入隅部に共通に使用できるコーナーテープ１１のための材料、またはコーナーテープ１１を得ることができる。
【００３３】
コーナーテープ１１の粘着剤層３３はあらかじめ備えるのではなく、施工時に粘着剤を塗布して備えてもよい。
【００３４】
この発明の構成と、前述の一形態の構成との対応において、  
この発明の隅角部は、前記一形態のコーナー部７１に対応し、  
以下同様に、  
隅角アール面は、角アール面２１、隅アール面２３に対応し、  
平板部における固定時に裏面側となる面は、固定面３２に対応するも、  
この発明は前述の構成にのみに限定されるものではなく、その他の構成を採用することもできる。
【００３５】
たとえば、前述の例ではコーナー部を構成する２面が９０度をなす場合に好適なコーナーテープを説明したが、その他の角度を有するコーナー部に適するものとしてもよい。
【符号の説明】
【００３６】
１１…コーナーテープ
１２…隅角相当部
１３…平板部
１４…ヒンジ部
２１…角アール面
２３…隅アール面
３１…貫通穴
３２…固定面
３３…粘着剤層
３３ａ…貫通穴
７１…コーナー部
【図１】
2015124590.tif 000003
【図２】
2015124590.tif 000004
【図３】
2015124590.tif 000005
【図４】
2015124590.tif 000006
【図５】
2015124590.tif 000007
【図６】
2015124590.tif 000008
【図７】
2015124590.tif 000009